(57)【要約】【課題】  本発明は、テレビジョン放送の番組映像を見る際の使い勝手を一段と向上し得る携帯端末を実現する。【解決手段】  本発明は、表示部筐体２と操作部筐体３とがヒンジ部４を介して開閉自在に連結された折畳式携帯電話機１において、開状態時に露出する表示部筐体正面２Ａに主表示部５を設け、開状態及び閉状態に関わらず常に露出する表示部筐体背面２Ｂに副表示部１０を設け、開状態時には地上デジタルテレビジョン放送の番組映像を主表示部５に表示し、閉状態時には当該番組映像を副表示部１０に表示するようにした。これにより表示部筐体２と操作部筐体３とが開状態のときはもちろんのこと閉状態のときであっても地上デジタルテレビジョン放送の番組映像を見ることができる。【選択図】          図３
2005033642.tif 000002
【特許請求の範囲】
【請求項１】
ヒンジ部を介して互いの一面を引き離す開状態及び当該互いの一面を対向させる閉状態に開閉自在に連結された第１及び第２の筐体と、
上記第１又は第２の筐体の上記一面に設けられた第１の表示手段と、
上記第１又は第２の筐体に対して上記閉状態及び上記開状態のいずれでも外部に露出されるように設けられた第２の表示手段と、
上記第１及び第２の筐体の開閉状態を検出する開閉状態検出手段と、
テレビジョン放送信号を受信する放送信号受信手段と、
上記放送信号受信手段によって受信された上記テレビジョン放送信号に基づいてテレビジョン番組の番組映像データを生成する映像データ生成手段と、
上記開閉状態検出手段による上記開閉状態の検出結果に応じて、上記第１及び第２の筐体が上記開状態のとき、上記映像データ生成手段によって生成された上記番組映像データに基づく番組映像を上記第１の表示手段に表示し、上記第１及び第２の筐体が上記閉状態のとき、上記映像データ生成手段によって生成された上記番組映像データに基づく上記番組映像を上記第２の表示手段に表示する表示制御手段と
を具えることを特徴とする携帯端末。
【請求項２】
上記第２の表示手段は、
表示画面のサイズが上記第１の表示手段の表示画面のサイズよりも小さく選定され、
上記映像データ生成手段は、
上記第１及び第２の筐体が閉状態のとき、上記第２の表示手段に表示される上記番組映像として、上記テレビジョン放送信号に基づき、当該番組映像の画素を間引いて映像サイズを縮小変換してなる縮小番組映像の上記番組映像データを生成する
ことを特徴とする請求項１に記載の携帯端末。
【請求項３】
上記第２の表示手段は、
表示画面のサイズが上記第１の表示手段の表示画面のサイズよりも小さく選定され、
上記映像データ生成手段は、
上記第１及び第２の筐体が閉状態のとき、上記第２の表示手段に表示される上記番組映像として、上記テレビジョン放送信号に基づき、当該番組映像内の所定領域を抽出してなる抽出番組映像の上記番組映像データを生成する
ことを特徴とする請求項１に記載の携帯端末。
【請求項４】
上記映像データ生成手段は、
上記第１及び第２の筐体が閉状態のとき、上記第２の表示手段に表示される上記番組映像として、上記テレビジョン放送信号に基づき、当該番組映像を形成する時間的に連続な複数フレーム画像のうち所定フレーム画像を間引いたフレーム間引き番組映像の上記番組映像データを生成する
ことを特徴とする請求項１に記載の携帯端末。
【請求項５】
ヒンジ部を介して互いの一面を引き離す開状態及び当該互いの一面を対向させる閉状態に開閉自在に連結された第１及び第２の筐体の開閉状態を検出する開閉状態検出ステップと、
テレビジョン放送信号を受信すると共に、当該受信した上記テレビジョン放送信号に基づいてテレビジョン番組の番組映像データを生成する映像データ生成ステップと、
上記開閉状態の検出結果に応じて、上記第１及び第２の筐体が上記開状態のとき、上記番組映像データに基づく番組映像を、上記第１又は第２の筐体の上記一面に設けられた第１の表示手段に表示し、上記第１及び第２の筐体が上記閉状態のとき、上記番組映像データに基づく上記番組映像を、上記第１又は第２の筐体に対して上記閉状態及び上記開状態のいずれでも外部に露出されるように設けられた第２の表示手段に表示する番組映像表示ステップと
を具えることを特徴とする番組映像表示方法。
【請求項６】
コンピュータに、
ヒンジ部を介して互いの一面を引き離す開状態及び当該互いの一面を対向させる閉状態に開閉自在に連結された第１及び第２の筐体の開閉状態を検出する開閉状態検出ステップと、
テレビジョン放送信号を受信すると共に、当該受信した上記テレビジョン放送信号に基づいてテレビジョン番組の番組映像データを生成する映像データ生成ステップと、
上記開閉状態の検出結果に応じて、上記第１及び第２の筐体が上記開状態のとき、上記番組映像データに基づく番組映像を、上記第１又は第２の筐体の上記一面に設けられた第１の表示手段に表示し、上記第１及び第２の筐体が上記閉状態のとき、上記番組映像データに基づく上記番組映像を、上記第１又は第２の筐体に対して上記閉状態及び上記開状態のいずれでも外部に露出されるように設けられた第２の表示手段に表示する番組映像表示ステップと
を実行させるための番組映像表示プログラム。
【発明の詳細な説明】
【技術分野】
【０００１】
本発明は、携帯端末に関し、例えば第１の筐体と第２の筐体とがヒンジ部を介して開閉自在に連結された折畳式携帯電話機に適用して好適なものである。
【背景技術】
【０００２】
従来、折畳式携帯電話機は、第１の筐体の正面に電話帳等の各種情報を表示する表示部が設けられていると共に、第２の筐体の正面に各種命令を入力するための操作キーが設けられ、携帯時には第１の筐体と第２の筐体とが互いの正面を対向させた状態（以下、これを閉状態と呼ぶ）に閉じられることにより表示部及び操作キーを外部から隠蔽し、通話時には第１の筐体と第２の筐体とが互いの正面を引き離した状態（以下、これを開状態と呼ぶ）に開かれることにより表示部及び操作キーを露出させる。（例えば、特許文献１参照）
【特許文献１】特開２００１−２５５７７５０公報（第４頁、第９図）
【発明の開示】
【発明が解決しようとする課題】
【０００３】
ところでかかる構成の折畳式携帯電話機に対しては、現在運用規定が策定中である携帯機器向けの地上デジタルテレビジョン放送のテレビジョン放送信号を受信させ、当該地上デジタルテレビジョン放送の番組映像を表示部に表示させることが提案されている。
【０００４】
ところが、かかる構成の折畳式携帯電話機においては、第１の筐体と第２の筐体とを開かなければ、地上デジタルテレビジョン放送の番組映像をユーザに見せることができず、地上デジタルテレビジョン放送の番組映像を見る際の使い勝手が悪いという問題があった。
【０００５】
本発明は以上の点を考慮してなされたもので、テレビジョン放送の番組映像を見る際の使い勝手を一段と向上し得る携帯端末を提案しようとするものである。
【課題を解決するための手段】
【０００６】
かかる課題を解決するために本発明においては、携帯端末において、ヒンジ部を介して互いの一面を引き離す開状態及び当該互いの一面を対向させる閉状態に開閉自在に連結された第１及び第２の筐体と、第１又は第２の筐体の一面に設けられた第１の表示手段と、第１又は第２の筐体に対して閉状態及び開状態のいずれでも外部に露出されるように設けられた第２の表示手段と、第１及び第２の筐体の開閉状態を検出する開閉状態検出手段と、テレビジョン放送信号を受信する放送信号受信手段と、放送信号受信手段によって受信されたテレビジョン放送信号に基づいてテレビジョン番組の番組映像データを生成する映像データ生成手段と、開閉状態検出手段による開閉状態の検出結果に応じて、第１及び第２の筐体が開状態のとき、映像データ生成手段によって生成された番組映像データに基づく番組映像を上記第１の表示手段に表示し、第１及び第２の筐体が閉状態のとき、映像データ生成手段によって生成された番組映像データに基づく番組映像を第２の表示手段に表示する表示制御手段とを設けるようにした。
【０００７】
また本発明においては、番組映像表示方法において、ヒンジ部を介して互いの一面を引き離す開状態及び当該互いの一面を対向させる閉状態に開閉自在に連結された第１及び第２の筐体の開閉状態を検出する開閉状態検出ステップと、テレビジョン放送信号を受信すると共に、当該受信したテレビジョン放送信号に基づいてテレビジョン番組の番組映像データを生成する映像データ生成ステップと、開閉状態の検出結果に応じて、第１及び第２の筐体が開状態のとき、番組映像データに基づく番組映像を、第１又は第２の筐体の一面に設けられた第１の表示手段に表示し、第１及び第２の筐体が閉状態のとき、番組映像データに基づく番組映像を、第１又は第２の筐体に対して閉状態及び開状態のいずれでも外部に露出されるように設けられた第２の表示手段に表示する番組映像表示ステップとを設けるようにした。
【０００８】
さらに本発明においては、コンピュータに実行させるための番組映像表示プログラムにおいて、ヒンジ部を介して互いの一面を引き離す開状態及び当該互いの一面を対向させる閉状態に開閉自在に連結された第１及び第２の筐体の開閉状態を検出する開閉状態検出ステップと、テレビジョン放送信号を受信すると共に、当該受信したテレビジョン放送信号に基づいてテレビジョン番組の番組映像データを生成する映像データ生成ステップと、開閉状態の検出結果に応じて、第１及び第２の筐体が開状態のとき、番組映像データに基づく番組映像を、第１又は第２の筐体の一面に設けられた第１の表示手段に表示し、第１及び第２の筐体が閉状態のとき、番組映像データに基づく番組映像を、第１又は第２の筐体に対して閉状態及び開状態のいずれでも外部に露出されるように設けられた第２の表示手段に表示する番組映像表示ステップとを設けるようにした。
【０００９】
これにより第１及び第２の筐体が開状態のときには、第１の表示手段を介して番組映像を見せることができ、第１及び第２の筐体が閉状態のときでも当該第１及び第２の筐体を開くような煩雑な操作を行わせることなく閉状態のままで第２の表示手段を介して番組映像を見せることができる。
【発明の効果】
【００１０】
上述のように本発明によれば、第１の筐体及び第２の筐体が開状態のときにはテレビジョン放送の番組映像を開状態時に露出する第１の表示手段に表示し、閉状態のときには当該番組映像を開状態時及び閉状態時に関わらず常に露出する第２の表示手段に表示するようにしたことにより、第１及び第２の筐体が開状態のときには、第１の表示手段を介して番組映像を見せることができ、第１及び第２の筐体が閉状態のときでも当該第１及び第２の筐体を開くような煩雑な操作を行わせることなく閉状態のままで第２の表示手段を介して番組映像を見せることができるので、テレビジョン放送の番組映像を見る際の使い勝手を一段と向上し得る携帯端末を実現することができる。
【発明を実施するための最良の形態】
【００１１】
以下図面について、本発明の一実施の形態を詳述する。
【００１２】
（１）折畳式携帯電話機の外観構成
図１（Ａ）及び（Ｂ）に示すように、１は本発明を適用した携帯端末としての折畳式携帯電話機を示し、第１の筐体（以下、これを表示部筐体と呼ぶ）２と第２の筐体（以下、これを操作部筐体と呼ぶ）３とが、互いの一端同士をヒンジ部４を介して連結されることにより開閉自在に形成され、例えば携帯時には表示部筐体２と操作部筐体３とが互いに正面を対向させた閉状態で使用され、通話時には表示部筐体２と操作部筐体３とが互いの正面を引き離した開状態で使用される。
【００１３】
表示部筐体２には、その正面（以下、これを表示部筐体正面と呼ぶ）２Ａの中央部分に液晶ディスプレイ等でなる主表示部５が設けられており、開状態時、当該主表示部５に電波の受信状態、電池残量、電話帳リスト、発信及び着信履歴、現在時刻の他、電子メール文、ホームページ等を表示し得るようになされている。
【００１４】
また表示部筐体正面２Ａには、主表示部５の上側（すなわち表示部筐体２の他端側）にスピーカ６が設けられており、当該スピーカ６を介して通話相手の音声や着信音等を出力し得るようになされている。
【００１５】
一方、操作部筐体３には、その正面（以下、これを操作部筐体正面と呼ぶ）３Ａの中央部分に電源キーや数字キー、発呼キー、終話キー等の操作キー群７が設けられると共に、右側面３Ｂの上側（すなわち操作部筐体３の一端側）に回転及び押圧操作可能なジョグダイヤル８が設けられており、これら操作キー群７及びジョグダイヤル８を介して各種命令を入力し得るようになされている。
【００１６】
また操作部筐体正面３Ａには、操作キー群７の下側（すなわち操作部筐体３の他端側）にマイクロフォン９が設けられており、当該マイクロフォン９によって通話時のユーザの音声を集音し得るようになされている。
【００１７】
さらに操作部筐体３には、内部に無線通信用アンテナ（図示せず）が設けられており、当該無線通信用アンテナを介して無線通信システムの基地局（図示せず）と通信し得るようになされている。
【００１８】
かかる構成に加えてこの折畳式携帯電話機１の場合、表示部筐体２の背面（以下、これを表示部筐体背面と呼ぶ）２Ｂの中央部分には、主表示部５よりも表示画面の小さい液晶ディスプレイ等でなる副表示部１０が設けられており、閉状態時、当該副表示部１０に電波の受信状態、電池残量、現在時刻、着信通知及び電子メールの受信通知等を表示し得るようになされている。
【００１９】
また操作部筐体３の内部には、上述の無線通信用アンテナとは別に、地上デジタルテレビジョン放送用のテレビジョン放送受信アンテナ（図示せず）が設けられており、地上デジタルテレビジョン放送用の放送局（図示せず）から送信されたテレビジョン放送信号を当該テレビジョン放送受信アンテナで受信し得るようになされている。そして折畳式携帯電話機１は、表示部筐体２と操作部筐体３とが開状態のときには主表示部５に地上デジタルテレビジョン放送の番組映像を表示すると共に番組音声をスピーカ６を介して出力し、当該表示部筐体２と操作部筐体３とが閉状態のときには副表示部１０に番組映像を表示すると共に番組音声をスピーカ６を介して出力するようになされている。
【００２０】
さらに折畳式携帯電話機１は、表示部筐体２と操作部筐体３との開閉状態に関わらず常に露出している操作部筐体３の右側面３Ｂにジョグダイヤル８が設けられていることにより、表示部筐体２と操作部筐体３とが開状態及び閉状態のどちらのときでも、主表示部５または副表示部１０に表示する命令入力ウインドウ（図示せず）の命令項目を当該ジョグダイヤル８を介して選択させて地上デジタルテレビジョン放送の番組の視聴開始やチャンネル切り替え、音量調節等の番組視聴用の操作命令を入力させ得るようになされている。
【００２１】
（２）折畳式携帯電話機の回路構成
次に、折畳式携帯電話機１の回路構成について図２を用いて説明する。
【００２２】
折畳式携帯電話機１は、ＣＰＵ（Central Processing Unit）２０に対して、地上デジタルテレビジョン放送の番組映像を表示するための番組映像表示プログラム等の各種プログラムや電話帳データ等の各データを格納したＲＯＭ（Read
Only Memory）２１、当該ＣＰＵ２０のワークエリアとして用いられるＲＡＭ（Random Access Memory）２２、操作キー群７及びジョグダイヤル８並びにキーコントローラ（図示せず）でなる操作部２３、主表示部５及び副表示部１０の表示を制御する表示制御部２４、表示部筐体２と操作部筐体３との開閉状態を検出する開閉状態検出部２５、無線通信用送受信部２６、テレビジョン放送受信部２７、コーデック部２８及び映像音声処理部２９が接続されている。
【００２３】
そしてＣＰＵ２０は、操作部２３を介して入力される発呼命令や終話命令等の通話用命令、及びチャンネル切替命令や音量調節命令等の番組視聴用命令に応じて、ＲＯＭ２１から各種プログラムを適宜読み出し、これらをＲＡＭ２２に展開して実行することにより折畳式携帯電話機１の各回路部を制御して、通話用命令及び番組視聴用命令等に応じた各種処理を実行するようになされている。
【００２４】
実際上ＣＰＵ２０は、通話モード時、ユーザの音声をマイクロフォン９で集音して得られた音声信号をコーデック部２８で圧縮符号化し、その結果得られる符号化データに対して無線通信用送受信部２６で変調処理等の所定の送信処理を施した後、無線通信用アンテナ３０を介して基地局へ送信する。
【００２５】
またＣＰＵ２０は、このとき基地局から送信された相手の音声に相当する受信信号を無線通信用アンテナ３０で受信して無線通信用送受信部２６に取り込み、当該無線通信用送受信部２６でその受信信号に復調処理等の所定の受信処理を施した結果得られる復調データをコーデック部２８で復号することにより音声信号を得、これをスピーカ６を介して出力する。
【００２６】
これによりＣＰＵ２０は、ユーザと相手との通話を成立させるようになされている。
【００２７】
一方、ＣＰＵ２０は、操作部２３を介して地上デジタルテレビジョン放送に対する番組視聴開始命令が入力されると、これに応じて番組視聴モードに移行する。
【００２８】
そしてＣＰＵ２０は、このとき地上デジタルテレビジョン放送の番組がユーザによって前回視聴されていた際に指定されていたチャンネル、又は操作部２３を介して新たに指定されたチャンネルに応じてテレビジョン放送受信部２７及び映像音声処理部２９を制御する。
【００２９】
またＣＰＵ２０は、開閉状態検出部２５による表示部筐体２及び操作部筐体３の開閉状態の検出結果に応じて、当該表示部筐体２及び操作部筐体３が開状態のときには主表示部５に番組映像を表示するように映像音声処理部２９及び表示制御部２４を制御すると共に、表示部筐体２及び操作部筐体３が閉状態のときには副表示部１０に番組映像を表示するように映像音声処理部２９及び表示制御部２４を制御する。
【００３０】
これによりまずテレビジョン放送受信部２７は、テレビジョン放送受信アンテナ３１で受信した複数チャンネル分のテレビジョン放送信号のうちユーザにより指定されたチャンネルのテレビジョン放送信号を選択して復調処理等の所定の受信処理を施すことにより、例えばＭＰＥＧ（Moving Picture Experts Group）規格に準じて生成されていたトランスポートストリームでなるデジタルデータを再生成し、これを映像音声処理部２９に送出する。
【００３１】
映像音声処理部２９は、テレビジョン放送受信部２７で再生成されたデジタルデータを圧縮映像データ及び圧縮音声データに分離すると共に、これら圧縮映像データ及び圧縮音声データをそれぞれ復号化することにより元の番組映像データ及び番組音声データを生成する。
【００３２】
そして映像音声処理部２９は、このとき表示部筐体２及び操作部筐体３が開状態であれば、番組映像データの最終的な送出先となる主表示部５の表示画面のサイズが、地上デジタルテレビジョン放送の番組映像の携帯放送用映像サイズ（３２０×２４０画素程度）に合わせて当該番組映像を全画面表示し得るように選定されていることにより、当該番組映像データをそのままデジタルアナログ変換し、得られた番組映像信号を表示制御部２４を介して主表示部５に送出すると共に、番組音声データをデジタルアナログ変換し、得られた番組音声信号をスピーカ６に送出する。
【００３３】
これにより映像音声処理部２９は、番組映像信号に基づいて、図３（Ａ）に示すように放送局側で生成された元の状態のままの番組映像を主表示部５に表示すると共に、スピーカ６を介して番組音声信号に基づく番組音声を出力し、かくしてユーザに地上デジタルテレビジョン放送の所望の番組を視聴させる。
【００３４】
これに対して映像音声処理部２９は、表示部筐体２及び操作部筐体３が閉状態であれば、このとき番組映像データの最終的な送出先となる副表示部１０の表示画面のサイズが主表示部５のサイズよりも小さく選定されていることにより、これに応じて番組映像データに基づく番組映像の画素を間引いて当該番組映像の映像サイズを副表示部１０で表示可能な映像サイズに縮小変換して縮小変換映像データを生成する。
【００３５】
そして映像音声処理部２９は、縮小変換映像データをデジタルアナログ変換し、得られた縮小変換映像信号を表示制御部２４を介して副表示部１０に送出すると共に、番組音声データをデジタルアナログ変換し、得られた番組音声信号をスピーカ６に送出する。
【００３６】
これにより映像音声処理部２９は、縮小変換映像信号に基づいて、図３（Ｂ）に示すように主表示部５に表示する番組映像よりも映像サイズを縮小した縮小番組映像を副表示部１０に表示すると共に、スピーカ６を介して番組音声信号に基づく番組音声を出力し、かくして表示部筐体２及び操作部筐体３が閉状態のときでもユーザに地上デジタルテレビジョン放送の所望の番組を視聴させる。
【００３７】
そしてＣＰＵ２０は、番組の視聴中に操作部２３を介して番組視聴に関する操作命令が入力されると、これに応じてテレビジョン放送受信部２７及び映像音声処理部２９を制御することによりチャンネルの切り替えや音量調節等の処理を実行する。
【００３８】
またＣＰＵ２０は、番組の視聴中に表示部筐体２及び操作部筐体３の開閉状態が変化すると、これを開閉状態検出部２５で検出すると共に、当該開閉状態検出部２５による開閉状態の検出結果に応じて表示制御部２４及び映像音声処理部２９を制御する。これによりＣＰＵ２０は、表示部筐体２及び操作部筐体３の開閉状態が閉状態から開状態に変化したときには、副表示部１０に表示していた縮小番組映像を消して主表示部５に番組映像を表示するように番組映像の表示先を自動的に切り替える。またＣＰＵ２０は、表示部筐体２及び操作部筐体３の開閉状態が開状態から閉状態へ変化したときには主表示部５に表示していた番組映像を消して副表示部１０に縮小番組映像を表示するように番組映像の表示先を自動的に切り替える。
【００３９】
このようにしてＣＰＵ２０は、番組の視聴中に番組映像の表示先を変更するように要望されたときには、当該番組映像の表示先を指示するような煩雑な操作を何ら行わせることなく表示部筐体２及び操作部筐体３の開閉状態を変化させるだけで所望の主表示部５又は副表示部１０を介して番組を視聴させ得るようになされている。
【００４０】
（３）番組映像表示処理
次にＣＰＵ２０が番組視聴モード時に番組映像表示プログラムに従って実行する番組映像表示処理の手順について図４のフローチャートを用いて説明する。
【００４１】
すなわちＣＰＵ２０は、番組視聴モードに移行すると、ルーチンＲＴ１の開始ステップから入ってステップＳＰ１へ移る。ステップＳＰ１においてＣＰＵ２０は、放送局から送信された複数チャンネル分のテレビジョン放送信号に対する受信処理を開始して、次のステップＳＰ２へ移る。
【００４２】
ステップＳＰ２においてＣＰＵ２０は、開閉状態検出部２５によって検出された表示部筐体２及び操作部筐体３の開閉状態に基づいて当該表示部筐体２及び操作部筐体３が閉状態であるか否かを判定する。ここで否定結果が得られると、このことは例えば表示部筐体２と操作部筐体３とを開いた状態でユーザが番組を視聴するように要求していることを表しており、このときＣＰＵ２０はステップＳＰ３へ移る。
【００４３】
ステップＳＰ３においてＣＰＵ２０は、映像音声処理部２９により、ユーザの指定したチャンネルの番組に相当する番組映像信号及び番組音声信号を生成し、当該番組映像信号に基づく番組映像を主表示部５に表示すると共に、スピーカ６を介して当該番組音声信号に基づく番組音声を出力する。
【００４４】
またこのときＣＰＵ２０は、主表示部５に地上デジタルテレビジョン放送の番組映像を表示しているので副表示部１０の表示を消して、次のステップＳＰ５へ移る。
【００４５】
これに対してステップＳＰ３で肯定結果が得られると、このことは例えば表示部筐体２と操作部筐体３とを閉じた状態でユーザが番組を視聴するように要求していることを表しており、このときＣＰＵ２０は、ステップＳＰ４へ移る。
【００４６】
ステップＳＰ４においてＣＰＵ２０は、映像音声処理部２９によりユーザの指定したチャンネルの番組に相当する縮小変換映像信号及び番組音声信号を生成し、縮小変換映像信号に基づく縮小番組映像を副表示部１０に表示すると共に、スピーカ６を介して番組音声信号に基づく番組音声を出力する。
【００４７】
またこのときＣＰＵ２０は、主表示部５が隠蔽されているので当該主表示部５の表示を消し、次のステップＳＰ５へ移る。
【００４８】
ステップＳＰ５においてＣＰＵ２０は、操作部２３を介して番組視聴終了命令が入力されたか否かを判定する。ここで否定結果が得られると、このことはユーザが引き続き番組を視聴するように要求していることを表しており、このときＣＰＵ２０は、ステップＳＰ２へ戻り、引き続きステップＳＰ２からステップＳＰ５までの処理を繰り返し実行する。
【００４９】
これに対してステップＳＰ５で肯定結果が得られると、このことはユーザが番組の視聴を終了するように要求していることを表しており、このときＣＰＵ２０は、ステップＳＰ６へ移る。
【００５０】
ステップＳＰ６においてＣＰＵ２０は、テレビジョン放送信号に対する受信処理を停止し、番組映像表示処理を終了する。
【００５１】
（４）動作及び効果
以上の構成において折畳式携帯電話機１は、番組視聴モード時、開閉状態検出部２５により表示部筐体２及び操作部筐体３の開閉状態を検出し、当該表示部筐体２及び操作部筐体３が開状態であれば、番組映像を主表示部５に表示し、当該表示部筐体２及び操作部筐体３が閉状態であれば、副表示部１０に番組映像の映像サイズを縮小変換した縮小番組映像を表示する。
【００５２】
また折畳式携帯電話機１は、表示部筐体２及び操作部筐体３が開状態の場合、このとき露出している操作キー群７及びジョグダイヤル８を介して番組視聴に関する操作命令が入力されると、これに応じてテレビジョン放送受信部２７や映像音声処理部２９を制御することによりチャンネル切り替えや音量調節等の処理を実行し、表示部筐体２及び操作部筐体３が閉状態の場合、このとき露出しているジョグダイヤル８を介して入力されたかかる操作命令に応じてチャンネル切り替えや音量調節等の処理を実行する。
【００５３】
以上の構成によれば折畳式携帯電話機１は、表示部筐体２及び操作部筐体３が開状態のときには、主表示部５に地上デジタルテレビジョン放送の番組映像を表示し、表示部筐体２及び操作部筐体３が閉状態のときには、副表示部１０に地上デジタルテレビジョン放送の番組映像を表示するようにした。
【００５４】
これにより折畳式携帯電話機１は、表示部筐体２及び操作部筐体３が開状態のときには、主表示部５を介して地上デジタルテレビジョン放送の番組映像を見せることができ、表示部筐体２及び操作部筐体３が閉状態のときでも当該表示部筐体２及び操作部筐体３を開くような煩雑な操作を行わせることなく閉状態のままで副表示部１０を介して番組映像を見せることができるので、番組映像を見る際の使い勝手を一段と向上することができる。
【００５５】
また折畳式携帯電話機１は、番組の視聴中に表示部筐体２及び操作部筐体３の開閉状態が変化すると、これに応じてそれまで副表示部１０に表示していた縮小番組映像を消して主表示部５に番組映像を表示し、又はそれまで主表示部５に表示していた番組映像を消して副表示部１０に縮小番組映像を表示するように番組映像の表示先を自動的に切り替えるようにしたことにより、表示部筐体２及び操作部筐体３を開く、または閉じるだけの簡易な操作で番組映像の表示先を容易に切り替えることができ、かくして番組映像を見る際の使い勝手を一段と向上することができる。
【００５６】
さらに折畳式携帯電話機１は、表示部筐体２及び操作部筐体３が閉状態のときでも当該表示部筐体２及び操作部筐体３を開くような煩雑な操作を行わせることなく閉状態のままでジョグダイヤル８を介して番組視聴用の操作命令を入力させることができるので、地上デジタルテレビジョン放送の番組を視聴する際の使い勝手を一段と向上することができる。
【００５７】
さらに折畳式携帯電話機１は、表示部筐体２及び操作部筐体３が閉状態のとき、主表示部５よりも表示画面の小さい副表示部１０に地上デジタルテレビジョン放送の番組映像を表示するようにした。この結果、主表示部５よりも表示面積が小さい副表示部１０の方がバックライト等による消費電力が小さいので、閉状態で番組が視聴される場合、開状態のときよりも消費電力を低減してバッテリでの動作時間を長くすることができる。
【００５８】
（５）他の実施の形態
なお上述の実施の形態においては、表示部筐体２と操作部筐体３とが閉状態のとき、番組映像の映像サイズを副表示部１０に表示可能な映像サイズに縮小変換するようにした場合について述べたが、本発明はこれに限らず、番組映像の映像サイズを縮小変換せずに、図５（Ａ）及び（Ｂ）に示すように番組映像内の所定領域を抽出して副表示部表示領域４０とし、当該副表示部表示領域４０の番組映像を副表示部１０に表示するようにしてもよく、かかる構成でも上述した実施の形態の場合と同様の効果を得ることができる。
【００５９】
因みに、副表示部表示領域４０は、ユーザに任意に選択させるようにしてもよいし、折畳式携帯電話機１に対して予め設定しておくようにしてもよい。また番組映像内の特定の表示物を追跡して、当該表示物が表示されている領域を副表示部領域４０として抽出するようにしてもよい。
【００６０】
また上述の実施の形態においては、副表示部１０が主表示部５よりも表示画面が小さい場合について述べたが、本発明はこれに限らず、例えば副表示部１０と主表示部５との表示画面が同じ大きさであってもよい。
【００６１】
この場合、例えば主表示部５には、地上デジタルテレビジョン放送の番組映像信号をそのまま送出し、副表示部１０に送出する際には、例えば図６に示すように、ＭＰＥＧ規格に準じた当該番組映像信号を構成するＩフレーム５０、５４、…及びＰフレーム５１〜５３、５５、…からＰフレーム５１〜５３、５５、…を間引いて…Ｉフレーム５０、５４、…のみの番組映像を副表示部１０に表示するようにしてもよい。
【００６２】
これにより携帯電話機１は、表示部筐体２及び操作部筐体３が閉状態のとき、主表示部５に番組映像を表示するときと比べて、Ｐフレーム５１〜５３、５５、…を間引いた分、映像処理にかかる負荷を低減させることができると共に、消費電力を低減してバッテリでの動作時間を長くすることができる。
【００６３】
さらに上述の実施の形態においては、上述した番組映像の映像サイズの縮小変換、番組映像内の所定領域の抽出、ＭＰＥＧ規格に準じた番組映像信号のＰフレームの間引き処理を任意に組み合わせ、映像音声処理部２９でその組み合わせに応じた番組映像データを生成し、副表示部１０に番組映像を表示するようにしてもよい。
【００６４】
さらに上述の実施の形態においては、テレビジョン放送として地上デジタルテレビジョン放送のテレビジョン放送信号を受信するようにした場合について述べたが、本発明はこれに限らず衛星デジタルテレビジョン放送やアナログテレビジョン放送等、その他種々のテレビジョン放送のテレビジョン放送信号を受信するようにしてもよい。
【００６５】
さらに上述の実施の形態においては、携帯端末として折畳式携帯電話機１に本発明を適用した場合について述べたが、本発明はこれに限らず、ＰＤＡ（Personal Digital Assistance）やノートブック型のパーソナルコンピュータ等、その他種々の携帯端末に適用してもよい。
【００６６】
さらに上述の実施の形態においては、操作部筐体正面３Ａに設けられたスピーカ６を介して番組音声信号を出力するようにした場合について述べたが、本発明はこれに限らず、例えば操作部筐体３の右側面３Ｂにイヤホン端子を設け、当該イヤホン端子を介してイヤホン端子に接続されたイヤホンから番組音声信号を出力するようにしてもよく、また表示部筐体背面２Ｂに新たにスピーカを設け、閉状態で地上デジタルテレビジョン放送の番組映像を視聴する際に、当該スピーカを介して番組音声信号を出力するようにしてもよい。
【００６７】
さらに上述の実施の形態においては、第１の表示手段としての主表示部５、第２の表示手段としての副表示部１０、開閉状態検出手段としての開閉状態検出部２５、放送信号受信手段としてのテレビジョン放送受信部２７及びテレビジョン放送受信アンテナ３１、映像データ生成手段としての映像音声処理部２９、表示制御手段としてのＣＰＵ２０及び表示制御部２４によって折畳式携帯電話機１を構成する場合について述べたが、本発明はこれに限らず、この他種々の第１の表示手段、第２の表示手段、開閉状態検出手段、放送信号受信手段、映像データ生成手段、及び表示制御手段により折畳式携帯電話機１を構成するようにしてもよい。
【産業上の利用可能性】
【００６８】
本発明の携帯端末は、地上デジタルテレビジョン放送の番組視聴機能を有する携帯電話機に適用できる。
【図面の簡単な説明】
【００６９】
【図１】本発明における折畳式携帯電話機の外観構成を示す略線図である。
【図２】折畳式携帯電話機の回路構成を示す略線図である。
【図３】番組映像表示例を示す略線図である。
【図４】番組映像表示処理手順を示すフローチャートである。
【図５】他の実施の形態における番組映像表示例を示す略線図である。
【図６】ＭＰＥＧ規格に準じた番組映像信号のフレーム構成を示す略線図である。
【符号の説明】
【００７０】
１……折畳式携帯電話機、２……表示部筐体、３……操作部筐体、４……ヒンジ部、５……主表示部、１０……副表示部、２０……ＣＰＵ、２４……表示制御部、２５……開閉状態検出部、２７……テレビジョン放送受信部、２９……映像音声処理部、３１……テレビジョン放送受信アンテナ、４０……副表示部表示領域、５０、５４……Ｉフレーム、５１、５２、５３、５５……Ｐフレーム。
【図１】
2005033642.tif 000003
【図２】
2005033642.tif 000004
【図３】
2005033642.tif 000005
【図４】
2005033642.tif 000006
【図５】
2005033642.tif 000007
【図６】
2005033642.tif 000008